(57)【要約】【課題】本願発明は、所定の範囲で移動可能な取り付け構造を具備した塗料等飛散防止具を提供する。【解決手段】鉄塔腕金に装着される取付部４と、鉄塔腕金の先端に吊下される碍子連の近傍に位置して碍子連への錆、塵埃、塗料などの不要物を受け止める飛散受け具とによって構成される塗料等飛散防止具において、取付部４を、鉄塔腕金を構成するアングル鋼材２０の内側側面２１，２２のそれぞれに当接する球体の第１のローラ４１と、アングル鋼材２０の外側角部２３に当接する直角凹型周面４２ａを有する第２のローラ４２と、によってアングル鋼材２０を挟持するように移動可能に固定し、取付部４をアングル鋼材２０に沿って移動させる。【選択図】  図２
2015020148.tif 000002
【特許請求の範囲】
【請求項１】
送電鉄塔の塔体から横方向に延出する鉄塔腕金に装着される取付部と、前記鉄塔腕金の先端に吊下される碍子連の近傍に位置して碍子連への錆、塵埃、塗料などの不要物を受け止める飛散受け具とによって構成される塗料等飛散防止具において、
前記取付部は、前記鉄塔腕金を構成するアングル鋼材の内側側面のそれぞれに当接する球体状の第１のローラと、前記アングル鋼材の外側角部に当接する直角凹型周面を有する第２のローラと、前記第１のローラを回転自在に保持する回転軸と、前記第２のローラを回転自在に保持する保持部及び該保持部から前記アングル鋼材の外側側面に沿って両側に延出する第１及び第２のアーム部を有する第２のローラ保持部と、前記回転軸の一端側及び前記第１のアーム部の先端を回転自在に固定する回転支点部と、前記回転軸の他端側と前記第２のアーム部の先端を着脱自在に固定する固定部とによって構成され、
前記第２のローラ保持部の保持部には、前記飛散受け具を吊下するためのワイヤ固定部が設けられることを特徴とする塗料等飛散防止具。
【請求項２】
前記回転軸は、ベアリングを介して前記第１のローラを回転自在の保持することを特徴とする請求項１記載の塗料等飛散防止具。
【請求項３】
前記飛散受け具は、前記ワイヤ固定部から延出するワイヤの先端に吊下される中央部と、該中央部から両側に折り畳み自在に延出する複数のロッドと、該複数のロッドにわたって設けられるビニールシートとを具備し、該ビニールシートには、前記碍子連の懸垂吊り金具を押し入れるための開閉切り込み部が設けられ、該開閉切り込み部の先端には、開閉切り込み部の両側を固定するための面ファスナーが設けられることを特徴とする請求項１又は２記載の塗料等飛散防止具。
【請求項４】
前記飛散受け具は、前記ワイヤ固定部から延出するワイヤの先端に吊下される中央部と、該中央部の一方にコ字状に回動自在に装着されるコ字状フレームと、該中央部の他方に凹字状に回動自在に装着される凹字状フレームと、前記コ字状フレーム及び前記凹字状フレームにわたって設けられるビニールシートとを具備し、前記凹字状フレームに位置するビニールシートには、前記碍子連の懸垂吊り金具を押し入れるための開閉切り込み部が設けられ、該開閉切り込み部の先端には、開閉切り込み部の両側を固定するための面ファスナーが設けられることを特徴とする請求項１又は２記載の塗料等飛散防止具。
【請求項５】
前記飛散受け具は、前記ワイヤ固定部から延出するワイヤの先端に吊下される吊り下げロッドと、該吊り下げロッドの先端から放射状に所定の間隔で延出する複数のスポークと、前記吊り下げロッドに摺動自在に設けられた移動部と、該移動部を前記吊り下げロッドの所定位置に固定する固定手段と、前記複数のスポークのそれぞれの中間位置と前記移動部との間を連設する複数の支持スポークと、前記複数のスポークにわたって設けられるビニールシートとを具備し、該ビニールシートの前記スポーク間の少なくとも１つには、前記碍子連の懸垂吊り金具を押し入れるための開閉切り込み部が設けられ、該開閉切り込み部の先端には、開閉切り込み部の両側を固定するための面ファスナーが設けられることを特徴とする請求項１又は２記載の塗料等飛散防止具。
【請求項６】
前記飛散受け具は、前記ワイヤ固定部から延出するワイヤの先端に吊下される吊り下げロッドと、該吊り下げロッドの先端近傍に摺動自在に配置されたスポーク固定部と、該スポーク固定部から径方向に延出する４本のスポークと、前記吊り下げロッドに固定される固定部と、前記４本のスポークのそれぞれの中間位置と前記固定部の間に連設される４本の支持スポークと、前記スポーク固定部を前記吊り下げロッドに固定するための固定手段と、前記４本のスポークにわたって設けられるビニールシートとを具備し、前記ビニールシートの前記スポーク間の少なくとも１つには、前記碍子連の懸垂吊り金具を押し入れるための開閉切り込み部が設けられ、該開閉切り込み部の先端には、開閉切り込み部の両側を固定するための面ファスナーが設けられることを特徴とする請求項１又は２記載の塗料等飛散防止具。
【請求項７】
前記吊り下げロッドの先端と前記ワイヤ固定部との間には、落下防止用ワイヤが設けられることを特徴とする請求項５又は６記載の塗料等飛散防止具。
【発明の詳細な説明】
【技術分野】
【０００１】
本願発明は、架空線鉄塔に塗装処理を行う際に、架空線を架設する碍子連への塗装等の付着を防止するための塗料等飛散防止具に関する。
【背景技術】
【０００２】
架空線鉄塔は、塔体と、上下方向に所定の間隔を隔てて塔体から左右前後方向に延出する腕金とを備え、腕金の先端に碍子を介して架空線が架設されている。この架空鉄塔の防錆塗装に際して、ケレン作業時に腕金から除去された異物が碍子連の表面に付着したり、下塗り、中塗り或いは上塗り作業時に塗料が碍子の表面に付着したりすると、碍子連の絶縁性能が低下し、送電効率が低下するという不具合が生じる場合がある。
【０００３】
このため、特許文献１で開示される塗装飛散防止具は、送電線に対して接近してはいけない距離よりも長い絶縁操作棒と、この絶縁操作棒の先端部に支持され、碍子連の上部に係脱されて、碍子連への塗装材の落下を防止する保護板と、碍子連上部に係合された保護板から塔体にわたってアームの下方に張設される絶縁ネットと、塔体に回転可能に取り付けられ、絶縁ネットを巻き取るドラムと、ドラムを回転操作するハンドルとを備えるようにしている。
【０００４】
また、特許文献２に開示される塗料飛散防止具は、送電鉄塔を構成する塔体に突設したアームの近傍にフレーム支持金具を設け、アームの先端側にネットフレームを設置し、ネットフレームとフレーム支持金具との間に支持索を張設し、支持索にアーム及びネットフレームを囲繞するように飛散防止ネットを展開、縮小可能に掛装して作業空間を形成するようにしている。
【０００５】
特許文献３は、上述した特許文献１及び２に開示されるような大がかりの装置に対して、作業している近傍、塗装している刷毛の近くで落下する塗料を受け止めたり、掻き落とし作業をしている近傍で錆や埃を受け止めることのできる塗料等飛散防止具を開示する。
【先行技術文献】
【特許文献】
【０００６】
【特許文献１】特開平７−１５５６５６号公報
【特許文献２】特開２００６−１４２１３５号公報
【特許文献３】特開２０１１−１１１６０号公報
【発明の概要】
【発明が解決しようとする課題】
【０００７】
上述したように、架空線鉄塔の塗装を行う場合、錆落とし作業における錆や埃、塗装作業における塗料が碍子連に付着し、碍子連の絶縁不良を起こすことを防止することは大きな課題である。このため、本出願人は、引用文献３において開示されるように、腕金先端に吊り下げ固定される塗料等飛散防止具を発明した。
【０００８】
この塗料等飛散防止具は、簡易な構造で碍子連へ飛散する錆、埃、塗料などを受け止めることができるものであるが、吊り下げ固定した箇所の錆落とし及び塗装作業が終了し、次の箇所に移動する必要が生じた場合には、いったん塗料等飛散防止具を取り外し、次の箇所に再度取り付ける必要が生じていた。
【０００９】
このため、本願発明は、所定の範囲で移動可能な取り付け構造を具備した塗料等飛散防止具を提供することを主たる課題としている。
【課題を解決するための手段】
【００１０】
したがって、本願発明は、送電鉄塔の塔体から延出する鉄塔腕金に装着される取付部と、前記鉄塔腕金の先端に連結される碍子連の近傍に位置して碍子連への錆、塵埃、塗料などの不要物を受け止める飛散受け具とによって構成される塗料等飛散防止具において、前記取付部は、前記鉄塔腕金を構成するアングル鋼材の内側側面のそれぞれに当接する球体状の第１のローラと、前記アングル鋼材の外側角部に当接する直角凹型周面を有する第２のローラと、前記第１のローラを回転自在に保持する回転軸と、前記第２のローラを回転自在に保持する保持部及び該保持部から前記アングル鋼材の外側側面に沿って両側に延出する第１及び第２のアーム部を有する第２のローラ保持部と、前記回転軸の一端側及び前記第１のアーム部の先端を回転自在に固定する回転支点部と、前記回転軸の他端側と前記第２のアーム部の先端を着脱自在に固定する固定部とによって構成され、前記第２のローラ保持部の保持部には、前記飛散受け具を吊下するためのワイヤ固定部が設けられることにある。
【００１１】
これによって、鉄塔腕金のアングル鋼材に対して、取付部の第１のローラをアングル鋼材の内側側面に接触するように配置し、第２のローラをアングル鋼材の外側の角に接触させるように配置して、固定部によって回転軸の他端側と第２のアーム部の先端を固定することによって、取付部を着脱自在に装着することができると共に、第１のローラと第２のローラによって取付部をアングル鋼材に沿って移動させることができる。
【００１２】
さらに、前記回転軸は、ベアリングを介して前記第１のローラを回転自在の保持することが望ましい。これによって、第１のローラの回転を円滑に行うことが可能となる。
【００１３】
また、前記飛散受け具は、前記ワイヤ固定部から延出するワイヤの先端に吊下される中央部と、該中央部から両側に折り畳み自在に延出する複数のロッドと、該複数のロッドにわたって設けられるビニールシートとを具備し、該ビニールシートには、前記碍子連の懸垂吊り金具を押し入れるための開閉切り込み部が設けられ、該開閉切り込み部の先端には、開閉切り込み部の両側を固定するための面ファスナーが設けられることが望ましい。
【００１４】
さらに、前記飛散受け具は、前記ワイヤ固定部から延出するワイヤの先端に吊下される中央部と、該中央部の一方にコ字状に回動自在に装着されるコ字状フレームと、該中央部の他方に凹字状に回動自在に装着される凹字状フレームと、前記コ字状フレーム及び前記凹字状フレームにわたって設けられるビニールシートとを具備し、前記凹字状フレームに位置するビニールシートには、前記碍子連の懸垂吊り金具を押し入れるための開閉切り込み部が設けられ、該開閉切り込み部の先端には、開閉切り込み部の両側を固定するための面ファスナーが設けられることが望ましい。
【００１５】
さらにまた、前記飛散受け具は、前記ワイヤ固定部から延出するワイヤの先端に吊下される吊り下げロッドと、該吊り下げロッドの先端から放射状に所定の間隔で延出する複数のスポークと、前記吊り下げロッドに摺動自在に設けられた移動部と、該移動部を前記吊り下げロッドの所定位置に固定する固定手段と、前記複数のスポークのそれぞれの中間位置と前記移動部との間を連設する複数の支持スポークと、前記複数のスポークにわたって設けられるビニールシートとを具備し、該ビニールシートの前記スポーク間の少なくとも１つには、前記碍子連の懸垂吊り金具を押し入れるための開閉切り込み部が設けられ、該開閉切り込み部の先端には、開閉切り込み部の両側を固定するための面ファスナーが設けられることが望ましい。
【００１６】
また、前記飛散受け具は、前記ワイヤ固定部から延出するワイヤの先端に吊下される吊り下げロッドと、該吊り下げロッドの先端近傍に摺動自在に配置されたスポーク固定部と、該スポーク固定部から径方向に延出する４本のスポークと、前記吊り下げロッドに固定される固定部と、前記４本のスポークのそれぞれの中間位置と前記固定部の間に連設される４本の支持スポークと、前記スポーク固定部を前記吊り下げロッドに固定するための固定手段と、前記４本のスポークにわたって設けられるビニールシートとを具備し、前記ビニールシートの前記スポーク間の少なくとも１つには、前記碍子連の懸垂吊り金具を押し入れるための開閉切り込み部が設けられ、該開閉切り込み部の先端には、開閉切り込み部の両側を固定するための面ファスナーが設けられることが望ましい。
【００１７】
さらにまた、前記吊り下げロッドの先端と前記ワイヤ固定部との間には、落下防止用ワイヤが設けられることが望ましい。
【発明の効果】
【００１８】
本願発明の塗料等飛散防止具によれば、取付部を、鉄塔腕金を構成するアングル鋼材に対して着脱自在に固定できると共に、アングル鋼材に沿って移動することができるので、鉄塔腕金の錆落とし作業や塗装作業に沿って塗料等飛散防止具を容易に移動させることができるために、それらの作業時間を短縮することができる。
【図面の簡単な説明】
【００１９】
【図１】本願発明に係る塗料等飛散防止具の鉄塔腕金への装着状態を示した説明図であり、（ａ）はその平面図、（ｂ）はその側面図である。
【図２】本願発明に係る塗料等品差防止具の取付部の一例を示した説明図であり、（ａ）は装着した状態、（ｂ）は外した状態を示した説明図である。
【図３】本願発明に係る塗料等飛散防止具の取付部の別の例を示した説明図であり、（ａ）は装着した状態、（ｂ）は外した状態を示した説明図である。
【図４】（ａ）は本願発明の実施例１に係る塗料等飛散防止具の説明図であり、（ｂ）は実施例１に係る飛散防止部の平面図である。
【図５】（ａ）は本願発明の実施例２に係る塗料等飛散防止具の説明図であり、（ｂ）は実施例２に係る飛散防止部の平面図である。
【図６】（ａ）は本願発明の実施例３に係る塗料等飛散防止具の説明図であり、（ｂ）は実施例３に係る飛散防止部の平面図である。
【図７】（ａ）は本願発明の実施例４に係る塗料等飛散防止具の説明図であり、（ｂ）は実施例４に係る飛散防止部の平面図である。
【図８】（ａ）は本願発明の実施例５に係る塗料等飛散防止具の説明図であり、（ｂ）は実施例５に係る飛散防止部の平面図であり、（ｃ）は実施例５に係る飛散防止部を畳んだ状態を示した説明図である。
【発明を実施するための最良の形態】
【００２０】
以下、この発明の実施例について図面により説明する。
【実施例１】
【００２１】
図１（ａ），（ｂ）に示すように、本願発明に係る塗料等飛散防止具１は、送電鉄塔の塔体から延出する鉄塔腕金２の着脱自在且つ移動可能に装着されるものである。この塗料等飛散防止具１は、前記鉄塔腕金２の先端に連結される碍子連３の近傍に配置されて、鉄塔腕金２の錆落とし作業、清掃作業、塗装作業時に生じる錆、塵埃、塗料が飛散して碍子連３に付着し、碍子連３の絶縁効果が低下することを防止するものである。
【００２２】
また、前記塗料灯飛散防止具１は、前記鉄塔腕金２を構成するアングル鋼材に着脱自在且つ移動可能に装着される取付部４と、この取付部４にワイヤ５を介して吊下される飛散受け具６とによって構成される。
【００２３】
本願発明に係る取付部４は、例えば図２（ａ），（ｂ）に示すように、前記鉄塔腕金２を構成するアングル鋼材２０の内側側面２１，２２のそれぞれに当接する球体の第１のローラ４１と、前記アングル鋼材２０の外側角部２３に当接する直角凹型周面４２ａを有する第２のローラ４２と、前記第１のローラ４１を回転自在に保持する回転軸４３と、前記第２のローラ４２を回転自在に保持する保持部４６及び該保持部４６から前記アングル鋼材２０の外側側面２４，２５に沿って両側に延出する第１及び第２の腕金部４４，４５を有する第２のローラ保持部５０と、前記回転軸４３の一端側４３ａ及び前記第１のアーム部４４の先端４４ａを回転自在に固定する回転支点部４７と、前記回転軸４３の他端側４３ｂと前記第２のアーム部４５の先端４５ａを着脱自在に固定する固定部４８とによって構成される。また、第１のローラ４１は、ベアリング４１ａ，４１ｂを介して前記回転軸４３に回転自在に装着されるものである。また、前記固定部４８は、蝶ネジ部４８ａと、蝶ネジ部４８ａが螺合するナット部４８ｂとによって構成される。さらに、前記第２のローラ保持部５０の保持部４６の先端には、前記ワイヤ５を保持するためのワイヤ固定部４９が設けられる。尚、回転軸４３の両端４３ａ，４３ｂは、前記第１及び第２のアーム部４４，４５の一端４４ａ，４５ａと当接するためにプレート状に形成されるものである。
【００２４】
これによって、図２（ｂ）で示すように、第２のローラ４２を前記アングル鋼材２０の外側角部２３に当接させると共に、前記第１のローラ４１を前記アングル鋼材２０の内側側面２１，２２に当接させるように、前記アングル鋼材２０を挟み込み、固定部４８の蝶ネジ部４８ａをナット部４８ｂに螺合させることによって前記取付部４をアングル鋼材２０に装着することができる。
【００２５】
また図３（ａ），（ｂ）に示される取付部４Ａは、図２（ａ），（ｂ）に示される取付部４と同様の構成を有するものであり、同一の箇所及び同様の効果を奏する箇所には同一の符号を付してその説明を省略する。尚、図３に示す取付部４Ａと図２に示す取付部４の相違点は、図２に示す取付部４では、第１及び第２のアーム部４４，４５の先端４４ａ，４５ａが直線状に延出し、これに対応して前記回転軸４３の両端４３ａ，４３ｂが外側に屈曲しているのに対して、図３に示す取付部４Ａでは、前記回転軸４３の両端４３ａ，４３ｂが直線状であり、これに対応して第１及び第２のアーム部４４，４５の先端４４ａ，４５ｂが屈曲していることである。また、図２に示す取付部４は、アングル鋼材２０の下側から装着する構造であるのに対して、図３に示す取付部４Ａは、アングル鋼材２０の上側から装着する構造である。
【００２６】
本願発明の実施例１に係る塗料等飛散防止具１において、前記飛散受け具６は、図４（ａ），（ｂ）に示すように、前記ワイヤ固定部４９から延出するワイヤ５の先端に吊下される中央部６０と、該中央部６０から両側に折り畳み自在に延出するロッド部６１，６２と、ロッド部６１，６２にわたって設けられるビニールシート６３とを具備し、該ビニールシート６３には、前記碍子連３の懸垂吊り金具３０を押し入れるための開閉切り込み部６４が設けられ、該開閉切り込み部６４の先端には、開閉切り込み部６４の両側を固定するための面ファスナー６５が設けられる。
【００２７】
また、前記ロッド部６１，６２は、前記中央部６０に回転自在に軸支されるコ字状のロッド枠体６１Ａ，６２Ａと、該ロッド枠体６１Ａ，６２Ａの中央部６１Ａａ，６２Ａａに固定され、前記ロッド枠体６１Ａ，６２Ａの側部６１Ａｂ，６２Ａｂに平行に延出する複数の延出ロッド６１Ｂ，６２Ｂとによって構成され、該延出ロッド６１Ｂ，６２Ｂの固定端６１Ｂａ，６２Ｂａは、反対側のロッド枠体６２Ａ，６１Ａの中央部６２Ａａ，６１Ａａに下側から当接してロッド部６１，６２を開いた状態で固定するものである。この構造は、基本的にピンチハンガーを飛散受け具６として使用したものであるが、不必要な部品については取り除いて使用するようにしたものである。
【００２８】
このように、実施例１に係る塗料等飛散防止具１において、飛散受け具６は、中央部６０に回転自在に固定される枠体６１Ａ，６２Ａの中央部６１Ａａ，６２Ａａから両側に延出する複数の延出ロッド６１Ｂ，６２Ｂが設けられ、この複数の延出ロッド６１Ａ，６２Ｂ及びロッド枠体６１Ａ，６２Ａの側部６１Ａｂ，６２Ａｂにわたってビニールシート６３が配置されるものである。また、ビニールシート６３に設けられた開閉切り込み部６４の面ファスナー６５を開いて、懸垂吊り金具３０及び碍子連３を入れ、面ファスナー６５を閉じて碍子連３に対して、作業中に飛散する錆、塵埃、塗料を受けることができる。
【実施例２】
【００２９】
本願発明の実施例２に係る塗料等飛散防止具１Ａは、図５（ａ），（ｂ）で示すように、前記ワイヤにワイヤ５を介して吊下される飛散受け具６Ａが、前記ワイヤ固定部４９から延出するワイヤ５の先端に吊下される中央部７０と、該中央部７０の一方にコ字状に回動自在に装着されるコ字状フレーム７１と、該中央部７０の他方に凹字状に回動自在に装着される凹字状フレーム７２と、前記コ字状フレーム７１及び前記凹字状フレーム７２にわたって設けられるビニールシート７３とを具備し、前記凹字状フレーム７２に位置するビニールシート７３には、前記碍子連３の懸垂吊り金具３０を押し入れるための開閉切り込み部７４が設けられ、該開閉切り込み部７４の先端には、開閉切り込み部７４の両側を固定するための面ファスナー７５が設けられている。
【００３０】
この構造において、中央部７０は、コ字状フレーム７１と凹字状フレーム７２を回転自在に保持する蝶番構造をしており、１８０°以上開かないようになっている。また、両側に位置する中央部７０はロッド７０Ａによって連結されており、このロッド７０Ａに前記ワイヤ５が連結されるワイヤ連結部７０Ｂが設けられている。
【００３１】
この構造は、洗濯物を干すためのハンガーを利用したものである。このような実施例２に係る構造によっても、実施例１に開示されたものと同様の効果を奏することが可能となる。
【実施例３】
【００３２】
本願発明の実施例３に係る塗料等飛散防止具１Ｂは、図６（ａ），（ｂ）で示すように、前記ワイヤ固定部４９にワイヤ５を介して吊下される飛散受け具６Ｂが、上述した実施例２に係る塗料等飛散防止具１Ａの飛散受け具６Ａとほぼ同様な構造をしたものであるが、コ字状フレーム８１及び凹字状フレーム８２が中央部８０を回転自在に装着され且つ１８０°以上開かない構造である。また、ワイヤ５が装着されるワイヤ連結部８０Ａは前記中央部８０のそれぞれに設けられる。
【００３３】
また、前記コ字状フレーム８１及び前記凹字状フレーム８２にわたって設けられるビニールシート８３が設けられ、前記凹字状フレーム８２に位置するビニールシート８３には、前記碍子連３の懸垂吊り金具３０を押し入れるための開閉切り込み部８４が設けられ、該開閉切り込み部８４の先端には、開閉切り込み部８４の両側を固定するための面ファスナー８５が設けられている。
【００３４】
この構造も、洗濯物を干すためのハンガーを利用したものである。このような実施例３に係る構造によっても、実施例１及び２に開示されたものと同様の効果を奏することが可能となる。
【実施例４】
【００３５】
本願発明の実施例４に係る塗料等飛散防止具１Ｃは、図７（ａ），（ｂ）で示すように、前記ワイヤ固定部４９にワイヤ５を介して吊下される飛散受け具６Ｃが、前記ワイヤ固定部４９から延出するワイヤ５の先端に吊下される吊り下げロッド９０と、該吊り下げロッド９０の先端近傍から放射状に所定の間隔で延出する複数のスポーク９１と、前記吊り下げロッド９０に摺動自在に設けられた移動部９２と、該移動部９２を前記吊り下げロッド９０の所定位置に固定する固定機構９３と、前記複数のスポーク９１のそれぞれの中間位置と前記移動部９２との間を連設する複数の支持スポーク９４と、前記複数のスポーク９１にわたって設けられるビニールシート９５とを具備し、該ビニールシート９５の前記スポーク９１間の少なくとも１つには、前記碍子連３の懸垂吊り金具３０を押し入れるための開閉切り込み部９６が設けられ、該開閉切り込み部９６の先端には、開閉切り込み部９６の両側を固定するための面ファスナー９７が設けられるものである。
【００３６】
この構造は、基本的にビニール傘を逆さまに取り付けた構造であり、ビニール傘のスポーク９１間の所定の位置に開閉切り込み部９６を設け、面ファスナー９７によって先端を固定するようにしたものである。また、この場合、ビニール傘を引っ掛ける構造であるため、落下防止用のワイヤ５Ａを前記ワイヤ固定部４９と前記吊り下げロッド９０の先端部との間に設けられるものである。これによって、上述した実施例１乃至３と同様の効果を奏することが可能となる。
【実施例５】
【００３７】
本願発明の実施例４に係る塗料等飛散防止具１Ｄは、図８（ａ），（ｂ），（ｃ）で示すように、前記ワイヤ固定部４９にワイヤ５を介して吊下される飛散受け具６Ｄが、前記ワイヤ固定部４９から延出するワイヤ５の先端に吊下される吊り下げロッド１００と、該吊り下げロッド１００の先端近傍に摺動自在に配置されたスポーク固定部１０１と、該スポーク固定部１０１から径方向に延出する４本のスポーク１０２と、前記吊り下げロッド１００に固定される固定部１０３と、前記４本のスポーク１０２のそれぞれの中間位置と前記固定部１０３の間に連設される４本の支持スポーク１０４と、前記スポーク固定部１０１を前記吊り下げロッド１００に固定するための固定機構１０５と、前記４本のスポーク１０２にわたって設けられるビニールシート１０６とを具備し、前記ビニールシート１０６の前記スポーク１０２間の少なくとも１つには、前記碍子連３の懸垂吊り金具３０を押し入れるための開閉切り込み部１０７が設けられ、該開閉切り込み部１０７の先端には、開閉切り込み部１０７の両側を固定するための面ファスナー１０８が設けられている。
【００３８】
また、前記吊り下げロッド１００の先端には、落下防止用のワイヤ５Ｂが、前記ワイヤ固定部４９との間に設けられるものである。以上の構成により、上述した実施例１乃至４と同様の効果を奏することが可能となる。
【符号の説明】
【００３９】
１，１Ａ，１Ｂ，１Ｃ，１Ｄ  塗料等落下防止具
２  鉄塔腕金
３  碍子連
４  取付部
５  ワイヤ
６，６Ａ，６Ｂ，６Ｃ，６Ｄ  飛散受け部
２０  アングル鋼材
２１，２２  内側側面
２３  外側角部
４１  第１のローラ
４２  第２のローラ
４４  第１のアーム部
４５  第２のアーム部
４６  保持部
４７  回転支点部
４８  固定部
４９  ワイヤ固定部
５０  第２のローラ保持部
【図１】
2015020148.tif 000003
【図２】
2015020148.tif 000004
【図３】
2015020148.tif 000005
【図４】
2015020148.tif 000006
【図５】
2015020148.tif 000007
【図６】
2015020148.tif 000008
【図７】
2015020148.tif 000009
【図８】
2015020148.tif 000010